(57)【特許請求の範囲】
【請求項１】
ベルトロール定着器装置であって、
第１内部圧力ロールと、
第２内部圧力ロールと、
少なくとも前記第１内部圧力ロールおよび前記第２内部圧力ロールによって支持された定着器ベルトであって、前記第１内部圧力ロールおよび前記第２内部圧力ロールが外部圧力ロールに係合して定着器ニップを画定するように構成され、前記第１内部圧力ロールおよび前記第２内部圧力ロールの半径が各々、前記外部圧力ロールの半径よりも小さい、定着器ベルトと、
前記外部圧力ロールに係合して前記定着器ニップを画定するように構成された第３内部圧力ロールであって、前記第１内部圧力ロールと前記第２内部圧力ロールとの間に介在する、第３内部圧力ロールと、
前記第１内部圧力ロールと前記第２内部圧力ロールとが係合されたときに前記定着器ニップにおいて前記ベルトが前記外部圧力ロールから離脱しないように前記第１内部圧力ロール、前記第２内部圧力ロール、および前記第３内部圧力ロールの各々の間に介在するように構成されたベルト受動支持部と、
を含む、装置。
【請求項２】
前記第１内部圧力ロールはニップ入口を画定するように構成され、前記第２内部圧力ロールはニップ出口を画定するように構成される、請求項１に記載の装置。
【請求項３】
前記第１内部圧力ロールおよび前記第２内部圧力ロールは、それぞれ前記外部圧力ロールの半径よりも小さい半径を有する、請求項１に記載の装置。
【請求項４】
前記第２内部圧力ロールは、前記第１内部圧力ロールの半径よりも小さい半径を有する、請求項１に記載の装置。
【請求項５】
前記ベルトロール定着器装置が前記外部圧力ロールと係合されて前記定着のニップを画定するとき、前記第１内部圧力ロールはニップ入口において前記外部圧力ロールに対して前記定着器ベルトを押し込み、前記第２内部圧力ロールは前記ニップ出口において前記外部圧力ロールに対して前記定着器ベルトを押し込む、請求項１に記載の装置。
【請求項６】
前記ニップ入口から前記ニップ出口まで前記外部圧力ロールに適合し、かつ少なくとも前記第１内部圧力ロールおよび前記第２内部圧力ロールによって前記外部圧力ロールに圧力が加わるように構成される前記定着器ベルトを含む、請求項５に記載の装置。
【請求項７】
圧力ベルト支持ロールと前記第１内部圧力ロールと前記第２内部圧力ロールとによって引き込まれる圧力ベルトであって、前記定着器ベルトと、前記圧力ベルト支持ロール、前記第１内部圧力ロール、および前記第２内部圧力ロールとの間に介在する圧力ベルトを含む、請求項１に記載の装置。
【請求項８】
さらに、前記圧力ベルトが金属を有する表面を含む、請求項７に記載の装置。
【請求項９】
前記定着器ベルトを加熱し、前記定着器ニップにおいてシートに定着処理を施す、請求項１に記載の装置。
【請求項１０】
前記外部圧力ロールが加熱され、前記定着器ニップにおいてシートに定着処理を施す、請求項１に記載の装置。
【請求項１１】
印刷システム用の自己剥離ベルトロール定着器システムであって、
外部圧力ロールと、
第１内部圧力ロールと、
第２内部圧力ロールと、
少なくとも前記第１内部圧力ロールおよび前記第２内部圧力ロールによって支持された定着器ベルトであって、前記第１内部圧力ロールおよび前記第２内部圧力ロールが前記外部圧力ロールに係合して定着器ニップを画定するように構成され、前記第１内部圧力ロールがニップ入口を画定し、前記第２内部圧力ロールがニップ出口を画定する、定着器ベルトと、
少なくとも前記第１内部圧力ロールおよび前記第２内部圧力ロールによって引き込まれる圧力ベルトであって、前記定着器ベルトと、前記第１内部圧力ロールおよび前記第２内部圧力ロールとの間に介在する圧力ベルトと、
を含み、
前記圧力ベルトの表面が金属を含み、この表面が前記定着器ベルトに接触する、システム。
【請求項１２】
印刷システム用の自己剥離ベルトロール定着器システムであって、
外部圧力ロールと、
第１内部圧力ロールと、
第２内部圧力ロールと、
少なくとも前記第１内部圧力ロールおよび前記第２内部圧力ロールによって支持された定着器ベルトであって、前記第１内部圧力ロールおよび前記第２内部圧力ロールが前記外部圧力ロールに係合して定着器ニップを画定するように構成され、前記第１内部圧力ロールがニップ入口を画定し、前記第２内部圧力ロールがニップ出口を画定する、定着器ベルトと、
少なくとも前記第１内部圧力ロールおよび前記第２内部圧力ロールによって引き込まれる圧力ベルトであって、前記定着器ベルトと、前記第１内部圧力ロールおよび前記第２内部圧力ロールとの間に介在する圧力ベルトと、
を含み、
前記第１内部圧力ロールの半径が前記第２内部圧力ロールの半径よりも大きい、システム。
【発明の詳細な説明】
【技術分野】
【０００１】
本明細書は、ベルトロール定着器の剥離用装置およびシステムに関する。詳細には、本明細書は、定着器のニップにおいて自己剥離構成を有するベルトロール定着器の剥離装置およびシステムに関する。
【背景技術】
【０００２】
従来技術のベルトロール定着器は、硬い内部圧力ロールおよび軟らかい外部圧力ロールを含む。内部圧力ロール、すなわち定着ロール、および外部圧力ロール、すなわち圧力ロールは、いっしょに定着器のニップを形成して、トナーなどのマーキング材料を、シートが転写ステーションからトナーを受けた後でシートに定着する。定着器ベルトは、内部ロールおよび３つの外部熱ロールによって引き込まれて、ニップの中を延びることができる。
【発明の概要】
【発明が解決しようとする課題】
【０００３】
印刷工程中にニップにおいて定着された紙シートは、ニップの中を通過した後で定着器ベルトに貼り付くことがある。典型的には、定着器ベルトからシートを剥離するために剥離シューが実装される。この細長片は、５ｍｍを下回る剥離半径を有することができる。定着器ベルトは、剥離シューの周囲を巻き付けてベルト内に曲げをもたらし、そのベルトにおいて処理中に用紙がベルト表面から離れる。従来技術の定着器のニップは、「再貼り付き」などの画像品質不良、「つらら」状などの光沢不良を引き起こす。
【課題を解決するための手段】
【０００４】
単一の連続的な弧状定着ゾーン外形を実装する実施形態による定着器のニップ構成は、従来の３ゾーンニップ外形よりも有利である。一実施形態によるベルトロール定着器装置内の定着器のニップによって定着されたシートは、シートが定着器のニップ内にある全期間の間、シートを圧力ロールと接触させるのに十分な圧力にさらされている。シートがニップの中を進みながら、単一の連続的な弧状定着ゾーンにより調節された連続的な接触によって、定着器のニップを通して定着器ベルトとシートの連続的な接触が維持されて、シートがニップから制御されながら抜け出ることが可能となり、そうでなければシートがニップから抜け出ながら画像不良を引き起こすはずの、シート内の曲がり方向の変化が防止される。実施形態の装置およびシステムは、連続的なニップ圧力の下でシート上に画像を調節して定着するステップ、およびシートがニップから抜け出る過程を制御するステップを含み、再貼り付きをせずにまたは他の画像品質不良を引き起こす要因にさらされずに、所望のニップ出口点においてシートがベルトから剥離することが可能となる。
【図面の簡単な説明】
【０００５】
【図１】図１は、従来技術のニップ外形およびシート剥離構成を実装するベルトロール定着器の、内部圧力ロールと外部圧力ロールを係合した、従来技術のベルトロール定着システムの図式的側面図である。
【図２Ａ】図２Ａは、従来技術のベルトロール定着システム内にある従来技術のニップ外形の図式的側面図である。
【図２Ｂ】図２Ｂは、従来技術のベルトロール定着システム内にある従来技術の剥離半径の展開側面図である。
【図３】図３は、典型的な実施形態による自己剥離ベルトロール定着器システムを示す図である。
【図４】図４は、典型的な実施形態による自己剥離ベルトロール定着器システムを示す図である。
【図５】図５は、典型的な実施形態による自己剥離ベルトロール定着器システムを示す図である。
【図６】図６は、典型的な実施形態による自己剥離ベルトロール定着器システムを示す図である。
【発明を実施するための形態】
【０００６】
実施形態の装置およびシステムは、紙シートなどの基板上に画像を印刷するシステムを含むことができる。印刷工程は、熱および圧力を用いてトナーなどのマーキング材料をシートに定着する定着ステップを含む。典型的な基板は、巻き紙などのウェブ媒体を含むことができる。または、本システムは、ベルトロール定着器の固定または定着のニップにカットシートを供給するように構成することができる。
【０００７】
従来技術のベルトロール定着システムが図１に示される。詳細には、図１は、ベルトロール定着システム１００を示す。ベルトロール定着システム１００は、ベルトロール定着器装置１０１を含むことができる。ベルトロール定着器装置１０１は、ベルトロール定着システム１００の主要フレーム部分１０２へラッチをかけ、主要フレーム部分１０２からのラッチをはずすように構成することができる。ベルトロール定着器の主要フレーム１０２は外部圧力部材１１０を含むことができ、ベルトロール定着モジュール１０１は内部圧力部材１２０を含むことができる。ベルトロール定着モジュールがラッチをかけられた位置にあるとき、すなわちベルトロール定着器装置１０１が主要フレーム１０２へラッチをかけられるとき、内部圧力部材１２０は、外部圧力部材１１０と係合されて定着のニップを画定することができる。ベルトロール定着器装置１０１が主要フレーム１０２からのラッチをはずされると、ベルトロール定着器装置１０１は主要フレーム１０２から切り離すことができ、それによって例えばベルトロール定着システム１００の部品を修理しまたは差し換えるためにアクセスする機会を調節することができる。
【０００８】
外部圧力部材１１０は、着脱可能であってよい。したがって、ベルト定着器装置１０１が、ベルトロール定着器の主要フレーム１０２から切り離されると、外部圧力部材１１０にアクセスして、クリーニングしおよび／または修理することができる。例えば、外部圧力部材１１０は、顧客側で差し換え可能であってよい。
【０００９】
外部圧力部材１１０は、圧力ロール冷却システムと関連付けることができる。例えば、図１は、外部圧力部材１１０の下方に位置決めされた圧力ロール冷却システム１１７を示す。圧力部材監視デバイス１１９が含まれ、圧力部材１１０を監視するように構成することができる。例えば、監視デバイス１１９は、接触型サーミスタなどのサーミスタであってよい。
【００１０】
図１に示されるように、内部圧力部材１２０は、外部圧力部材１１０と係合して定着のニップを形成することができる。ベルトロール装置１０１がベルトロール定着システム１００の主要フレーム１０２にラッチをかけられると、定着のニップを形成することができる。
【００１１】
ベルトロール定着器装置１０１は、複数のベルト部材を含むことができる。ベルト部材は、示されるように、軸、例えば縦軸の出入り、の周りに回転可能であり定着器ベルトの移動を容易にするロールとすることができる。ベルト部材は、ベルトが複数のベルト部材および内部圧力部材の周りに移動しながら、ベルトを支持し、クリーニングし、および／または操縦することができる。例えば、図１は、内部圧力部材１２０を含むベルトロール装置１０１を示し、ベルトロール装置１０１は、内部圧力部材１２０をベルトロール主要フレーム１０２の外部圧力部材１１０と係合するように位置決めされる。図１に示された内部圧力部材１２０は、縦軸、例えば中心縦軸１２１、の周りに回転可能な円筒部材である。
【００１２】
ベルトロール・モジュール１０１は、ベルトロール・モジュール１０１が内部圧力部材１２０をベルト定着システム１００の主要フレームの外部圧力部材１１０と係合するように位置決めされるとき、内部圧力部材１２０がクリーナ部材１２７と外部圧力部材１１０の間に介在するように位置決めされたクリーナ部材１２７を含むことができる。クリーナ部材１２７は、ベルトの支持および移動を容易にする回転可能な部材とすることができる。例えば、クリーナ部材１２７は、中心縦軸の周りに回転可能な、円筒ロールなどのロールとすることができる。クリーナロール１２７は、例えばウェブ・クリーニング・システムェブ・クリーニング・システムまたはベルト・クリーニング・システムと関連付けることができる。ウェブ・クリーニング・システムは、ベルトロール定着システムのウェブまたはベルトのクリーニングを容易にする複数の部材を含むことができる。ウェブ・クリーニング・システムは、顧客側で差し換え可能とすることができ、例えばベルトロール定着モジュール１０１のラッチをかけるおよびラッチをはずす操作によって容易にされる。内部圧力部材１２０は、計量システムと関連付けることができる。計量システムは、媒体ロールなどの１つ以上の計量部材を含むことができる。
【００１３】
図１のベルトロール定着器装置１０１は、ベルト部材１３０を含むことができる。ベルト部材１３０は、回転可能とすることができる。例えば、ベルト部材１３０は、中心縦軸の周りに回転可能な、円筒ロールなどのロールとすることができる。ベルトロール・モジュール１３０は、張力部材１３３を含むことができる。張力部材１３３は、中心縦軸の周りに回転可能な、円筒ロールなどのロールとすることができる。張力部材１３３は、ベルト張力調整器と関連付けることができる。張力部材１３３は、ベルトのトラッキング動作および操縦を調節するように構成することができる。クリーナ部材１２７、ベルト部材１３０、および張力部材１３３は、それぞれ加熱することができる。例えば、張力部材１３３は、加熱エレメント１３５を含むことができる。ベルトロール・モジュール１０１の１つ以上の部材は、種々の監視デバイス１４０によって監視することができる。例えば、監視デバイスは、接触型サーミスタなどのサーミスタとすることができる。
【００１４】
内部圧力部材１２０、クリーナ部材１２７、ベルト部材１３０、および張力部材１３３は、それぞれベルト１４３を引き込むように構成することができる。ベルト１４３は、回転可能部材の周りに移動することができ、加熱引き込み回転可能部材またはロールから熱を吸収することができる。ベルト１４３は、差し換え可能とすることができる。例えば、ベルト定着器装置１０１は、ベルトロール定着モジュール１０２の部品にアクセスする機会を調節するように位置決めされ、それによって例えばベルト１４３をユーザ側で差し換えることを可能にすることができる。ベルトサーミスタ（図示せず）は、ベルト１４３の周りに配置することができる。
【００１５】
ベルト１４３は、例えばベルトロール装置１０１が主要フレーム１０２へラッチをかけられると、ベルトロール装置１０１の内部圧力部材１２０および外部圧力部材１１０によって画定されたニップの中を通過することができる。定着後処理部品は、ニップの周りに、具体的にはニップの出口の周りに位置することができる。例えば、エアーナイフ１４５は、ニップ出口にあるとすることができる。剥離シュー１４７もまた、ベルトを剥離角で曲げるために内部圧力ロール１２０とベルト１４３の間に介在して、シートがベルトから剥離することができるニップ出口において、ベルト１４３のかどを形成するように構成することができる。ベルト１４３は、剥離シュー１４７のかどの周囲に巻き付けることができ、このポイントで用紙は、剥離シュー１４７のかどを超えて工程方向に延びるベルトの表面から離れることができる。
【００１６】
出口センサ１５０は、定着のニップの出口に位置決めすることができる。定着画像を有する基板は、基板が定着のニップを抜け出た後、定着後搬送システム１５５によって運ぶことができる。
【００１７】
図２Ａは、図１に示されたタイプのベルトロール定着器構成によって形成された従来技術のニップ外形の図式的側面図を示す。図２Ａは、外部圧力ロール２１０、および内部圧力ロールまたは定着ロール２２０によって形成された、３つのゾーンニップ（ゾーンＮ１（ニップ入口）、Ｎ２、およびＮ３（ニップ出口））を示す。定着器ベルト２４３は、ニップの出口において、例えば図２Ａに示されるようにゾーンＮ３において、剥離シュー２４７のかどの周囲を巻き付けるように構成される。図２Ｂは、剥離シュー２４７のかどの周囲に巻き付けられた定着器ベルト２４３の展開図を示す。
【００１８】
従来技術のニップ外形のゾーンは、Ｎ１、Ｎ２およびＮ３を含み、Ｎ１は、高圧力ニップゾーン（例えば、約６０ｐｓｉ〜約８０ｐｓｉ）であり、Ｎ２は、定着器ベルト２４３が方向を変化させて、例えば定着ロール２２０から離れる方向に案内されるゾーンである、低圧力ニップゾーン（例えば、約６ｐｓｉ〜約１０ｐｓｉ）であり、Ｎ３は、実質的に外部圧力ロール２１０と定着器ベルト２４３との接触がなく、ベルト２４３が外部圧力ロール２１０から離れており、剥離シュー２４７の先端半径に対して接しているゾーンである、ニップゾーン（例えば、０ｐｓｉ）である。
【００１９】
ニップゾーンＮ２およびＮ３において、画像品質不良が典型的となる。例えば、図２Ａに示されるように、シートがゾーンＮ２においてニップの中を進むにつれて、シートの曲がり方向が変化することにより、画像不良が引き起こされる可能性がある。さらに、シートの先頭エッジがニップゾーンＮ２の中を進むにつれて、特にシートが重い重量のシートの場合には、ゾーンＮ２では典型的には単なるベルト圧力が例えば約６〜約１０ｐｓｉの圧力で外部圧力ロール２１０の方へシートに力を働かせるだけであり、シートは、外部圧力部材２１０に適合しない可能性がある。シートのはり強度が原因で、ゾーンＮ２においてベルトに対するシートの切り離しおよびその後の再付着が発生し、結果としてつらら状の画像品質不良が発生する。重い用紙に対するこのような不良を回避するために、Ｎ２ニップゾーンを特定の長さに短縮すると、軽い用紙の剥離機能性が妨げられることがある。
【００２０】
シートがＮ３ニップゾーンの中を進むにつれて、シートは、画像化濃度および画像配置に依存して、ベルト２４３および／または外部圧力ロール２１０に貼り付くことがある。シートは、ベルト２４３を切り離した後で再度接して、「再貼り付き」などの画像不良を引き起こす。図２Ａに示されるように、従来技術のシステムでは、シートの先頭エッジが、ゾーンＮ３を通り過ぎて剥離シュー２４７に達した後までは、剥離動作は繰り返しては起こらない。
【００２１】
図３は、一実施形態による自己剥離ベルトロール定着器システムを示す。図３に示された自己剥離ベルトロール定着器システムは、ロール３１０などの外部圧力部材を含む。本システムは、外部圧力ロール３１０とともに定着器のニップを画定するベルトロール装置を含むことができる。外部圧力ロールの表面は、ゴムを含むことができ、および／または順応性のために軟らかい表面とすることができる。
【００２２】
ベルトロール定着器装置は、内部圧力ロール３２２などの複数の内部圧力部材を含むことができる。複数の内部圧力ロール３２２は、定着器ベルト３４３を引き込むことができる。複数の内部圧力ロール３２２は、硬いロールとすることができ、ウレタン外面によって囲まれた鋼シャフトで形成することができる。内部圧力ロール３２２は、外部圧力ロール３１０の半径に比較して小さい半径を有することができる。ベルト３４３は、シリコン層およびＶｉｔｏｎトップコートで上塗りされたポリイミドの骨格で形成することができる。ベルト３４３および圧力ロール３２２は、外部圧力ロール３１０と動作可能に係合されると、複合の定着器のニップを形成するように構成することができ、複数の内部圧力ロール３２２は、それぞれ外部圧力ロール３１０に接触して定着器のニップを形成する。
【００２３】
内部圧力ロール３２２は、例えばロール３２２のゆがみを調整するのに用いることができる支持ロール３２５によって、支持することができる。内部圧力ロール３２２は、支持ロール３２５よりも小さいとすることができる。支持ロール３２５は、種々の直径を有することにより、必要に応じて内部圧力ロール３２２のゆがみ形状を制約して、所望のベルト張力および／またはニップ圧力を生み出すように構成することができる。
【００２４】
内部圧力ロール３２２は、ニップ入口３２６から定着器のニップを通って３２８にあるニップ出口まで、相当なかつ一貫性のあるニップ圧力を加えるように構成することができる。例えば、複数の内部ロール３２２は、互いに密接に隣接してかつ外部圧力ロール３１０と接触して、ベルト３４３が内部圧力ロール３２２と外部圧力ロール３１０の間に介在して、配置することができる。
【００２５】
図３に示されるようにニップ外形の入口形状は、用紙経路および硬い外部圧力ロールに対するロール直径、ロール配置などの幾何学的要因に起因して起こる、後尾エッジの過度なはね返りを防止する。ニップ出口形状は、少なくとも内部圧力ロール３２２、特にニップ出口のロール３２２、のより小さい直径によって調節された、自己剥離および／または容易な空気剥離を可能にする。例えば、内部圧力ロール直径は、約８ｍｍとすることができる。８ｍｍの内部圧力ロール直径は、約２７ｍｍの複合のニップ長さを生み出すことができ、この長さは、従来技術の定着器のニップの場合の２倍のニップ滞留時間または約２倍の潜在的定着速度を可能にすることができる。定着のニップは、さらに内部圧力ロール３２２を追加することによって、所望の滞留時間を達成するために、必要に応じて延ばすことができる。
【００２６】
図４は、一実施形態による自己剥離ベルトロール定着器システムを示す。図４に示された自己剥離ベルトロール定着器システムは、ロール４１０などの外部圧力部材を含む。本システムは、外部圧力ロール４１０とともに定着器のニップを画定するベルトロール装置を含むことができる。外部圧力ロールの表面は、順応性のためにゴムを含むことができ、および／または軟らかい表面とすることができる。
【００２７】
ベルトロール定着器装置は、内部圧力ロール４２２などの複数の内部圧力部材を含むことができる。複数の内部圧力ロール４２２は、定着器ベルト４４３を引き込むことができる。複数の内部圧力ロール４２２は、硬いロールとすることができ、ウレタン外面によって囲まれた鋼シャフトで形成することができる。内部圧力ロール４２２は、外部圧力ロール４１０の半径に比較して小さい半径を有することができる。ベルト４４３は、シリコン層およびＶｉｔｏｎトップコートで上塗りされたポリイミドの骨格で形成することができる。ベルト４４３および圧力ロール４２２は、外部圧力ロール４１０と動作可能に係合されると、定着のニップを形成するように構成することができ、複数の内部圧力ロール４２２は、それぞれ外部圧力ロール４１０に接触して定着のニップを形成する。内部圧力ロール４２２は、１つ以上の支持部材または例えばロール４２５によって支持することができ、ロール４２５は、内部圧力ロール４２２の場合よりも大きい直径を有することができ、ならびに／または必要に応じて直径を変化させることにより、所望のベルト張力を生み出し、および／もしくは内部圧力ロール４２２のゆがみ形状を制約して所望のニップ圧力を生み出すことができる。
【００２８】
内部圧力ロール４２２は、ニップ入口４２６から定着のニップを通って４２８にあるニップ出口まで、実質的に一貫性のあるニップ圧力を加えるように構成することができる。例えば、複数の内部ロール４２２は、互いに密接に隣接してかつ外部圧力ロール４１０と接触して、ベルト４４３が内部圧力ロール４２２と外部圧力ロール４１０の間に介在して、配置することができる。
【００２９】
図３に示された複数の内部圧力ロール３２２の配置は、定着のニップにおいて実質的に一定な圧力を調節することができる。しかしながら、これは、ベルトロール装置が外部圧力ロール３１０と係合されるとき、２つの内部圧力ロール３２２の間に介在する空きスペースに対向する、外部圧力部材３１０の部分が存在するためである。これらの部分におけるニップ圧力は、ニップ圧力プロファイルがニップの長さ全域で実質的に一定ではあるが、外部圧力ロール３１０が内部圧力ロール３２２に接触している、定着のニップの他の部分におけるニップ圧力を、下回る可能性がある。
【００３０】
ニップの種々の部分におけるニップ圧力内の差異、特に内部圧力ロールが外部圧力ロールに接触している点と接触していない点との差異、をさらに低減するために、図４に示されるように、ベルトロール装置内に受動性定着器ベルト支持部４３２を実装することができる。受動性定着器ベルト支持部４３２は、例えば押し出し加工によって形成することができ、複数の内部圧力ロール４２２の間に介在する細長い部分を有するように構成することができる。受動性定着器ベルト４３２の介在部分は、ゆがんでいない定着器ベルト４４３に接近しているが接しないで位置決めすることができる。ベルト４３２が十分にゆがむと、ベルト４３２が、受動性定着器ベルト支持部の一部分に接触して、この部分からの支持を受け、所望の程度にまでゆがまないように、介在部分は位置決めすることができる。したがって、ベルト受動支持部４３２は、ベルトのゆがみ、および外部圧力ロール４１０から離れる方向の、不適合を引き起こすベルトの移動を制限することができる。
【００３１】
図５は、硬い圧力ベルトを有する、一実施形態による自己剥離ベルトロール定着器システムを示す。図５に示された自己剥離ベルトロール定着器システムは、ロール５１０などの外部圧力部材を含む。本システムは、外部圧力ロール５１０とともに定着のニップを画定するベルトロール装置を含むことができる。外部圧力ロールの表面は、薄いシリコンゴムおよびＶｉｔｏｎトップコートなどのゴムを含むことができ、および／または軟らかい表面とすることができる。ベルトロール装置は、外部圧力ロール５１０に関してベルトロール装置を中心に置くために、移動可能とすることができる。ベルトロール装置は、係合してニップを形成するために別のやり方では固定して位置決めされ、外部圧力ロール５１０は、同ベルトロール装置の方へおよび同ベルトロール装置から離れて、調整可能とすることができる。
【００３２】
例えば、印刷ジョブの始まりにおいて、外部圧力ロール５１０は、定着器ベルト５４３、圧力ベルト５２４、および内部圧力ロール５２２と係合するために、ベルトロール装置の方へ駆動するように構成することができる。圧力ロール支持部５２９は、外部圧力ロール５１０の方へおよび同ロールから離れる方向に、移動可能とすることができる。圧力支持ロール５２９は、負荷をかけられたバネとすることができ、圧力ベルト５２４および定着器ベルト５４３が外部圧力ロール５１０の湾曲に適合することができるハードストップに、移動するように構成することができる。次いで外部圧力ロール５１０は、ベルトロール装置の方へ移動することにより、ニップ圧力および適合性を圧力ベルト５２４および定着器ベルト５４３に生み出して、シートに画像を定着する要件を満たすことになる。図５に示された構成により、例えばニップ圧力要件が低減された状態で、滞留時間が増加することなる。
【００３３】
ベルトロール定着器装置は、内部圧力ロール５２２などの複数の内部圧力部材を含むことができる。複数の内部圧力ロール５２２は、定着器ベルト５４３を引き込むことができる。定着器ベルト５４３は、ベルトを引き込む１つ以上のロールによって加熱することができる。複数の内部圧力ロール５２２は、硬いロールとすることができ、ウレタン外面によって囲まれた鋼シャフトで形成することができる。内部圧力ロール５２２は、外部圧力ロール５１０の半径に比較して小さい半径を有することができる。ベルト５４３は、シリコン層およびＶｉｔｏｎトップコートで上塗りされたポリイミドの骨格で形成することができる。ベルト５４３および圧力ロール５２２は、外部圧力ロール５１０と動作可能に係合されると、定着のニップを形成するように構成することができ、複数の内部圧力ロール５２２は、それぞれ外部圧力ロール５１０に接触して定着器のニップを形成する。内部圧力ロール５２２は、例えば支持ロール５２３によって支持することができる。支持ロール５２３は、内部圧力ロール５２２よりも大きい直径を有することができる。
【００３４】
硬い圧力ベルト５２４は、複数の内部圧力ロール５２２および少なくとも１つの圧力ベルト支持部５２９によって引き込むことができる。圧力ベルト５２４は、金属、例えば鋼またはニッケル合金で形成することができる。定着器ベルト５４３は、軟らかく、シリコン層およびＶｉｔｏｎトップコートで上塗りされたポリイミドの骨格で形成することができる。圧力ロール支持部５２９は、圧力ベルト５２４の張力を変化させるために調整可能とすることができる。圧力ベルト５２４は、圧力ベルト５２４を引き込む１つ以上のロールによって加熱することができる。圧力ベルト５２４は、定着器ベルト５４３と内部圧力ロール５２２の間に介在することができる。第１内部圧力ロール５２２はニップ入口５２６を画定することができ、第２内部圧力ロール５２２はニップ出口５２８を画定することができる。ベルトロール装置は、内部圧力ロール５２２、ベルト５４３、圧力ベルト５２４、および外部圧力ロール５１０によって画定された定着器のニップの全長の端から端まで、ベルト５４３が外部圧力ロール５１０に接触するように構成することができる。
【００３５】
内部圧力ロール５２２は、ニップ入口５２６から定着器のニップを通って５２８にあるニップ出口まで、相当なかつ一貫性のあるニップ圧力を加えるように構成することができる。例えば、複数の内部ロール５２２は、互いに密接に隣接してかつ外部圧力ロール５１０と接触して、ベルト５４３が内部圧力ロール５２２と外部圧力ロール５１０の間に介在して、配置することができる。外部圧力ロール５１０は、ベルト内の張力を調整するために、内部圧力ロール５２２の方へ調整可能とすることができる。
【００３６】
ニップ出口５２８を形成する第２内部圧力ロール５２２は、ニップ入口５２６を形成する第１圧力ロール５２２よりも小さい半径を有することができる。したがって、ニップ出口におけるベルト５４３と外部圧力ロール５１０の間隔は最小にすることができ、それによってシートが定着器のニップ出口５２８から抜け出る間にわたって、制御を高めることが可能となる。剥離用突起部５５０は、外部圧力ロール５１０の表面からシートを剥離するために、外部圧力ロール５１０に隣接して位置決めすることができる。
【００３７】
代替の実施形態では、図６に示されるように、ベルト・ロール・システムは、外部圧力ロール６１０、および複数の内部圧力ロール６２２を有する装置であって、外部圧力ロール６１０に動作可能に係合されるとニップを形成するように構成されたベルトロール装置を含むことができる。
【００３８】
第１内部圧力ロール６２２は、外部圧力ロール６１０とともにニップ入口６２６を画定するように構成することができる。第２内部圧力ロール６２２は、外部圧力ロール６１０とともにニップ出口６２８を画定するように構成することができる。第１内部圧力ロール６２２と第２内部圧力ロール６２２は、実質的に等しい半径であってよい。
【００３９】
内部圧力ロール６２２は、定着器ベルト６４３を引き込むことができる。定着器ベルト６４３は、定着器のニップにおいて外部圧力ロール６１０と内部圧力ロール６２２の間に介在することができ、ニップの全長を通して外部圧力ロール６１０と実質的に連続して接触状態であってよい。
【００４０】
内部圧力ロール６２２および圧力ベルト支持部６２９は、圧力ベルト６２４を引き込むように構成することができる。ベルトロール定着器装置は、内部圧力ロール６２２および外部圧力ロール６１０によって画定された定着器のニップにおいて、定着器ベルト６４３と内部圧力ロール６２２の間に介在する圧力ベルト６２４を含むことができる。
【図１】
0006008746.tif 000002
【図２Ａ】
0006008746.tif 000003
【図２Ｂ】
0006008746.tif 000004
【図３】
0006008746.tif 000005
【図４】
0006008746.tif 000006
【図５】
0006008746.tif 000007
【図６】
0006008746.tif 000008